(57)【要約】      （修正有）【課題】諸収差が良好に補正され、優れた光学性能を有する小型のズームレンズ及びそれを有する撮像装置を得る。【解決手段】物体側から像側へ順に、負の屈折力の第１レンズ群Ｌ１、正の屈折力の第２レンズ群Ｌ２より構成され、ズーミングに際して各レンズ群の間隔が変化するズームレンズにおいて、前記第１レンズ群Ｌ１は、物体側から像側へ順に、負レンズＧ１ｎと正レンズＧ１ｐより構成され、前記第１レンズ群Ｌ１の負レンズＧ１ｎと正レンズＧ１ｐは間隔を空けて配置されており、前記第２レンズ群Ｌ２は、物体側から像側へ順に、正レンズと負レンズを含む３枚のレンズにより構成され、前記第１レンズ群Ｌ１を構成する負レンズＧ１ｎの物体側のレンズ面の曲率半径、前記第２レンズ群を構成する最も屈折力の大きい負レンズの形状、前記第２レンズ群の屈折力を各々適切に設定する。【選択図】図１
2010286819.tif 000002
【特許請求の範囲】
【請求項１】
物体側から像側へ順に、負の屈折力の第１レンズ群、正の屈折力の第２レンズ群より構成され、ズーミングに際して前記第１レンズ群と前記第２レンズ群の間隔が変化するズームレンズにおいて、前記第１レンズ群は、物体側から像側へ順に、負レンズと正レンズより構成され、前記第１レンズ群の負レンズと正レンズは間隔を空けて配置されており、前記第２レンズ群は、物体側から像側へ順に、正レンズと負レンズを含む３枚のレンズより構成され、前記第１レンズ群を構成する負レンズの物体側のレンズ面の曲率半径をＲ１ｎａ、前記第２レンズ群を構成する最も屈折力の大きい負レンズの物体側のレンズ面の曲率半径をＲ２ｎａ、前記第２レンズ群を構成する最も屈折力の大きい負レンズの像側のレンズ面の曲率半径をＲ２ｎｂ、前記第２レンズ群の焦点距離をｆ２、レンズ全系の広角端における焦点距離をｆｗとするとき、
−２４．０＜Ｒ１ｎａ／ｆｗ＜−１．０
０．２＜（Ｒ２ｎａ＋Ｒ２ｎｂ）／（Ｒ２ｎａ−Ｒ２ｎｂ）＜２．２
１．２＜ｆ２／ｆｗ＜１．８
なる条件式を満足することを特徴とするズームレンズ。
【請求項２】
前記第１レンズ群を構成する負レンズの像側のレンズ面の曲率半径をＲ１ｎｂとするとき、
０．２＜（Ｒ１ｎａ＋Ｒ１ｎｂ）／（Ｒ１ｎａ−Ｒ１ｎｂ）＜１．２
なる条件式を満足することを特徴とする請求項１に記載のズームレンズ。
【請求項３】
前記第１レンズ群を構成する負レンズの像側のレンズ面の曲率半径をＲ１ｎｂ、前記第１レンズ群を構成する正レンズの物体側のレンズ面の曲率半径をＲ１ｐａとするとき、
−７．０＜（Ｒ１ｎｂ＋Ｒ１ｐａ）／（Ｒ１ｎｂ−Ｒ１ｐａ）＜−１．０
なる条件式を満足することを特徴とする請求項１又は２に記載のズームレンズ。
【請求項４】
前記第２レンズ群を構成する最も屈折力の大きい負レンズの焦点距離をｆ２ｎ、前記第２レンズ群の焦点距離をｆ２とするとき、
０．３＜｜ｆ２ｎ｜／ｆ２＜１．６
なる条件式を満足することを特徴とする請求項１、２又は３に記載のズームレンズ。
【請求項５】
前記第１レンズ群の焦点距離をｆ１とするとき、
１．０＜｜ｆ１｜／ｆ２＜１．８
なる条件式を満足することを特徴とする請求項１乃至４のいずれか１項に記載のズームレンズ。
【請求項６】
前記第１レンズ群の焦点距離をｆ１とするとき、
１．６＜｜ｆ１｜／ｆｗ＜２．５
なる条件式を満足することを特徴とする請求項１乃至５のいずれか１項に記載のズームレンズ。
【請求項７】
前記第２レンズ群は、物体側から像側へ順に、正レンズ、負レンズ、正レンズより構成されていることを特徴とする請求項１乃至６のいずれか１項に記載のズームレンズ。
【請求項８】
前記第２レンズ群の最も像側の正レンズは物体側に凹面を向けたメニスカス形状であることを特徴とする請求項７に記載のズームレンズ。
【請求項９】
前記第２レンズ群は、物体側から像側へ順に、正レンズ、正レンズ、負レンズより構成されていることを特徴とする請求項１乃至６のいずれか１項に記載のズームレンズ。
【請求項１０】
前記第２レンズ群は、物体側から像側へ順に、正レンズ、負レンズ、負レンズより構成されていることを特徴とする請求項１乃至６のいずれか１項に記載のズームレンズ。
【請求項１１】
撮像素子に像を形成することを特徴とする請求項１乃至１０のいずれか１項に記載のズームレンズ。
【請求項１２】
請求項１乃至１１のいずれか１項に記載のズームレンズと該ズームレンズによって形成される像を受光する撮像素子とを備えることを特徴とする撮像装置。
【発明の詳細な説明】
【技術分野】
【０００１】
本発明は、ズームレンズ及びそれを有する撮像装置に関し、例えばデジタルカメラ、ビデオカメラ、銀塩写真用カメラ、ＴＶカメラなどに好適なものである。
【背景技術】
【０００２】
最近、固体撮像素子を用いたビデオカメラ、デジタルスチルカメラ等の撮像装置は、全体が小型で高性能であることが求められている。
【０００３】
そして、それに用いる撮影光学系は、３倍程度のズーム比を有し、高い光学性能を有した小型のズームレンズであることが要望されている。
【０００４】
物体側から像側へ順に、負の屈折力の第１レンズ群と正の屈折力の第２レンズ群で構成され、各レンズ群の間隔を変化させることでズーミングをおこなう、ネガティブリード型の２群ズームレンズが知られている。
【０００５】
例えば、ズーム比が３倍程度のネガティブリード型の２群ズームレンズで、負の屈折力の第１レンズ群を２枚のレンズで構成し、正の屈折力の第２レンズ群を３枚のレンズで構成したズームレンズが知られている（特許文献１）。
【０００６】
また、負の屈折力の第１レンズ群を２枚のレンズで構成し、正の屈折力の第２レンズ群を２枚のレンズで構成したズームレンズが知られている（特許文献２）。
【先行技術文献】
【特許文献】
【０００７】
【特許文献１】特開２００７−２９３３６８号公報
【特許文献２】特開２００５−１４８４３５号公報
【発明の概要】
【発明が解決しようとする課題】
【０００８】
ネガティブリード型の２群ズームレンズはレンズ構成が非対称であるため、像面彎曲、コマ収差といったレンズ構成の非対称性に起因する諸収差が発生しやすい。特にレンズ系全体を小型化しつつズーム比を大きくしようとすると非対称性が更に大きくなり、これらの諸収差を補正することが困難になってくる。
【０００９】
特許文献１のズームレンズは、第１レンズ群の負レンズが像側に凹面を向けたメニスカス形状であり、前玉有効径が増大しやすいために、第１レンズ群全体が厚くなり、レンズ全体が大型化する傾向がある。
【００１０】
特許文献２のズームレンズは、第２レンズ群を構成する負レンズに球面からの変位量が大きい非球面を用いることで、諸収差を補正している。この負レンズは、コマ収差や像面彎曲の成分に関して、物体側のレンズ面と像側のレンズ面で収差を出し合い、互いに収差を打ち消すことで全体のバランスをとるレンズ形状としている。このため、負レンズのレンズ面が偏芯した場合、収差を打ち消し合うバランスが崩れて、光学性能が大きく劣化しやすい。
【００１１】
一般に、ネガティブリード型の２群ズームレンズにおいて、全体の小型化を図りながら、所定のズーム比を確保しつつ、高い光学性能を得るためには、負の屈折力の第１レンズ群と正の屈折力の第２レンズ群のレンズ構成を適切に構成することが重要になってくる。
【００１２】
特に、像面彎曲とコマ収差をズーム全域で補正しつつ、光学系全系を小型化するためには、第１レンズ群の最も物体側の第１レンズ面の形状と、第２レンズ群の負レンズの形状を適切にすることが重要である。
【００１３】
本発明は、諸収差が良好に補正され、優れた光学性能を有する小型のズームレンズ及びそれを有する撮像装置を提供することを目的とする。
【課題を解決するための手段】
【００１４】
本発明のズームレンズは、物体側から像側へ順に、負の屈折力の第１レンズ群、正の屈折力の第２レンズ群より構成され、ズーミングに際して前記第１レンズ群と前記第２レンズ群の間隔が変化するズームレンズにおいて、前記第１レンズ群は、物体側から像側へ順に、負レンズと正レンズより構成され、前記第１レンズ群の負レンズと正レンズは間隔を空けて配置されており、前記第２レンズ群は、物体側から像側へ順に、正レンズと負レンズを含む３枚のレンズより構成され、前記第１レンズ群を構成する負レンズの物体側のレンズ面の曲率半径をＲ１ｎａ、前記第２レンズ群を構成する最も屈折力の大きい負レンズの物体側のレンズ面の曲率半径をＲ２ｎａ、前記第２レンズ群を構成する最も屈折力の大きい負レンズの像側のレンズ面の曲率半径をＲ２ｎｂ、前記第２レンズ群の焦点距離をｆ２、レンズ全系の広角端における焦点距離をｆｗとするとき、
−２４．０＜Ｒ１ｎａ／ｆｗ＜−１．０
０．２＜（Ｒ２ｎａ＋Ｒ２ｎｂ）／（Ｒ２ｎａ−Ｒ２ｎｂ）＜２．２
１．２＜ｆ２／ｆｗ＜１．８
なる条件式を満足することを特徴している。
【発明の効果】
【００１５】
本発明によれば、諸収差が良好に補正され、優れた光学性能を有する小型のズームレンズ及びそれを有する撮像装置が得られる。
【図面の簡単な説明】
【００１６】
【図１】実施例１の広角端におけるレンズ断面図
【図２】実施例１の広角端、中間のズーム位置、望遠端における収差図
【図３】実施例２の広角端におけるレンズ断面図
【図４】実施例２の広角端、中間のズーム位置、望遠端における収差図
【図５】実施例３の広角端におけるレンズ断面図
【図６】実施例３の広角端、中間のズーム位置、望遠端における収差図
【図７】実施例４の広角端におけるレンズ断面図
【図８】実施例４の広角端、中間のズーム位置、望遠端における収差図
【図９】実施例５の広角端におけるレンズ断面図
【図１０】実施例５の広角端、中間のズーム位置、望遠端における収差図
【図１１】実施例６の広角端におけるレンズ断面図
【図１２】実施例６の広角端、中間のズーム位置、望遠端における収差図
【図１３】実施例７の広角端におけるレンズ断面図
【図１４】実施例７の広角端、中間のズーム位置、望遠端における収差図
【図１５】実施例８の広角端におけるレンズ断面図
【図１６】実施例８の広角端、中間のズーム位置、望遠端における収差図
【図１７】実施例９の広角端におけるレンズ断面図
【図１８】実施例９の広角端、中間のズーム位置、望遠端における収差図
【図１９】実施例１０の広角端におけるレンズ断面図
【図２０】実施例１０の広角端、中間のズーム位置、望遠端における収差図
【図２１】本発明の撮像装置の要部概略図
【発明を実施するための形態】
【００１７】
以下に本発明の好ましい実施の形態を、添付の図面に基づいて詳細に説明する。
【００１８】
本発明の各実施例のズームレンズは、物体側から像側へ順に、負の屈折力の第１レンズ群、正の屈折力の第２レンズ群で構成されており、ズーミング（変倍）に際して第１レンズ群と第２レンズ群の間隔が変化するように双方が移動する。第１レンズ群は、物体側から像側へ順に、負レンズ、正レンズより構成されており、第１レンズ群の負レンズと正レンズは間隔を空けて配置されている。第２レンズ群は、物体側から像側へ順に、正レンズと負レンズを含む３枚のレンズで構成されている。
【００１９】
ただし、接合レンズについては、接合される各々のレンズを１枚と数えるものとする。また、球面レンズの表面に樹脂を形成して非球面レンズとしたもの（複合非球面レンズ）は、１枚のレンズと数えるものとする。
【００２０】
図１は、本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。
【００２１】
図３は、本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。
【００２２】
図５は、本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。
【００２３】
図７は、本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。
【００２４】
図９は、本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。
【００２５】
図１１は、本発明の実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。
【００２６】
図１３は、本発明の実施例７のズームレンズの広角端におけるレンズ断面図である。図１４（Ａ）、（Ｂ）、（Ｃ）はそれぞれ実施例７のズームレンズの広角端、中間のズーム位置、望遠端における収差図である。
【００２７】
図１５は、本発明の実施例８のズームレンズの広角端におけるレンズ断面図である。図１６（Ａ）、（Ｂ）、（Ｃ）はそれぞれ実施例８のズームレンズの広角端、中間のズーム位置、望遠端における収差図である。
【００２８】
図１７は、本発明の実施例９のズームレンズの広角端におけるレンズ断面図である。図１８（Ａ）、（Ｂ）、（Ｃ）はそれぞれ実施例９のズームレンズの広角端、中間のズーム位置、望遠端における収差図である。
【００２９】
図１９は、本発明の実施例１０のズームレンズの広角端におけるレンズ断面図である。図２０（Ａ）、（Ｂ）、（Ｃ）はそれぞれ実施例１０のズームレンズの広角端、中間のズーム位置、望遠端における収差図である。
【００３０】
図２１は、本発明のズームレンズを備えるカメラ（撮像装置）の要部概略図である。
【００３１】
各実施例のズームレンズはビデオカメラやデジタルカメラ、銀塩フィルムカメラ、ＴＶカメラなどの撮像装置に用いられる撮影レンズ系である。
【００３２】
レンズ断面図において、左方が物体側（前方）で、右方が像側（後方）である。また、レンズ断面図において、ｉを物体側からのレンズ群の順番とすると、Ｌｉは第ｉレンズ群を示す。Ｇは光学フィルター、フェースプレート、ローパスフィルター、赤外カットフィルターなどに相当する光学ブロックである。
【００３３】
ＩＰは像面である。像面ＩＰは、ビデオカメラやデジタルカメラの撮影光学系として各実施例のズームレンズを使用する際には、ＣＣＤセンサやＣＭＯＳセンサなどの固体撮像素子（光電変換素子）の撮像面に相当する。また銀塩フィルムカメラの撮影光学系として各実施例のズームレンズを使用する際には、フィルム面に相当する。
【００３４】
矢印は広角端から望遠端へのズーミング（変倍）における、各レンズ群の移動軌跡を示している。
【００３５】
収差図において、ｄ、ｇは各々ｄ線及びｇ線である。ΔＭ、ΔＳはメリディオナル像面、サジタル像面である。倍率色収差はｇ線によって表している。ωは半画角、ＦｎｏはＦナンバーである。
【００３６】
尚、各実施例において広角端と望遠端は変倍用のレンズ群が機構上、光軸上を移動可能な範囲の両端に位置したときのズーム位置をいう。
【００３７】
各実施例のズームレンズはいずれも、物体側から像側へ順に、負の屈折力の第１レンズ群Ｌ１、正の屈折力の第２レンズ群Ｌ２で構成されており、ズーミングに際して、第１レンズ群Ｌ１と第２レンズ群Ｌ２の間隔が変化する。
【００３８】
具体的には、広角端から望遠端へのズーミングに際して、第１レンズ群Ｌ１は像側に凸状の軌跡を描いて移動し、第２レンズ群Ｌ２は物体側へ単調に移動する。
【００３９】
第１レンズ群Ｌ１は、物体側から像側へ順に、両レンズ面が凹形状の負レンズＧ１ｎと物体側のレンズ面が物体側に凸形状の正レンズＧ１ｐとの２枚のレンズで構成されており、負レンズＧ１ｎと正レンズＧ１ｐは間隔を空けて配置されている。
【００４０】
第１レンズ群Ｌ１を、間隔を空けて配置された２枚のレンズにより構成することで、像面彎曲と倍率色収差を補正しつつ、第１レンズ群Ｌ１の薄型化を図っている。
【００４１】
第２レンズ群Ｌ２は、物体側から像側へ順に、正レンズと負レンズを含む３枚のレンズで構成されている。
【００４２】
変倍レンズ群である第２レンズ群Ｌ２を、正レンズと負レンズを含む３枚のレンズで構成することで、変倍に伴う像面彎曲とコマ収差の変動を低減しつつ、第２レンズ群Ｌ２の薄型化を図っている。
【００４３】
ただし、接合レンズについては、接合される各々のレンズを１枚と数えるものとする。また、球面レンズの表面に樹脂を形成して非球面レンズとしたもの（複合非球面レンズ）は、１枚のレンズと数えるものとする。
【００４４】
各実施例のズームレンズは、全体として５枚のレンズで構成されており、レンズ全系の小型化を達成している。
【００４５】
各実施例において、第１レンズ群Ｌ１に含まれる負レンズの物体側のレンズ面の曲率半径をＲ１ｎａとする。第２レンズ群Ｌ２に含まれる最も屈折力の大きい負レンズの物体側のレンズ面の曲率半径をＲ２ｎａとする。第２レンズ群に含まれる最も屈折力の大きい負レンズの像側のレンズ面の曲率半径をＲ２ｎｂとする。前記第２レンズ群の焦点距離をｆ２とする。レンズ全系の広角端における焦点距離をｆｗとする。このとき、
−２４．０＜Ｒ１ｎａ／ｆｗ＜−１．０    ‥‥‥（１）
０．２＜（Ｒ２ｎａ＋Ｒ２ｎｂ）／（Ｒ２ｎａ−Ｒ２ｎｂ）＜  ２．２  ‥‥‥（２）
１．２＜ｆ２／ｆｗ＜１．８  ‥‥‥（３）
なる条件式を満足している。
【００４６】
条件式（１）は、第１レンズ群Ｌ１に含まれる負レンズＧ１ｎの物体側のレンズ面の曲率半径に関する。物体側から像側へ順に、負の屈折力の第１レンズ群Ｌ１と正の屈折力の第２レンズ群Ｌ２よりなる２群ズームレンズにおいて、第１レンズ群Ｌ１に入射する瞳近軸光線の高さは広角端から望遠端にかけて大きく変化する。このため、ズーミングによる像面彎曲の変動を低減するためには、第１レンズ群Ｌ１内で像面彎曲を十分に補正する必要がある。
【００４７】
そこで、第１レンズ群Ｌ１を構成する負レンズＧ１ｎの物体側のレンズ面に負の屈折力を与え、負レンズの屈折力を物体側と像側のレンズ面で分担することによって、第１レンズ群Ｌ１内での像面彎曲の発生を抑えるレンズ構成としている。また、負レンズＧ１ｎの物体側のレンズ面を凹形状とすることで負の屈折力を大きくし、入射瞳位置を物体側に寄せて、前玉有効径を小型化している。すなわち、条件式（１）を満足するように負レンズＧ１ｎの物体側のレンズ面を構成することで、変倍に伴う像面彎曲の変動を低減すると共に前玉有効径の小型化を図っている。
【００４８】
条件式（１）の上限を超えると、負レンズＧ１ｎの物体側のレンズ面の曲率が強くなりすぎるため、歪曲収差が増大し、広角端において像面彎曲が補正過剰となる。一方、下限を超えると、前玉有効径が大型化するとともに、広角端において像面彎曲が補正不足となり、ズーミングによる像面彎曲の変動が補正困難となるので良くない。
【００４９】
条件式（２）は、第２レンズ群Ｌ２を構成する最も屈折力の大きい負レンズＧ２ｎのレンズ形状に関する。負レンズＧ２ｎを、像側に強い凹面を向けたレンズ形状とすることで、負レンズＧ２ｎの各レンズ面における像面彎曲やコマ収差の発生を抑え、更にレンズ面の偏芯による光学性能の劣化を小さくしている。
【００５０】
条件式（２）の上限を超えると、負レンズＧ２ｎの像側のレンズ面の曲率が強くなりすぎるため、そのレンズ面で発生するコマ収差を補正することが困難となる。下限を超えると、負レンズＧ２ｎ物体側のレンズ面で発生する像面彎曲、コマ収差が像大し、負レンズＧ２ｎの像側のレンズ面で発生する収差と打ち消し合って収差を補正する構成となるため、レンズ面が偏芯したときの光学性能への影響が大きくなるので良くない。
【００５１】
条件式（３）は、第２レンズ群Ｌ２の焦点距離を規定している。第２レンズ群Ｌ２を条件式（３）を満足する焦点距離とすることで、ズーム全域においてコマ収差を補正しつつレンズ全系の小型化を達成している。
【００５２】
条件式（３）の上限を超えると、第２レンズ群Ｌ２の焦点距離が長くなりすぎて、変倍のための第２レンズ群Ｌ２の移動量が増大し、レンズ全系が大型化してしまう。一方、下限を超えると、第２レンズ群Ｌ２の焦点距離が短くなりすぎて、コマ収差をズーム全域で補正することが困難となるのでよくない。
【００５３】
各実施例において、より好ましくは、条件式（１）〜（３）の数値範囲を次の如く設定するのが良い。
−２４．０＜Ｒ１ｎａ／ｆｗ＜−１．５                                …（１ａ）
０．２５＜（Ｒ２ｎａ＋Ｒ２ｎｂ）／（Ｒ２ｎａ−Ｒ２ｎｂ）＜２．１５  …（２ａ）
１．３＜ｆ２／ｆｗ＜１．７                                          …（３ａ）
各実施例において、更に好ましくは、条件式（１ａ）〜（３ａ）の数値範囲を次の如く設定するのが良い。
−２４．０＜Ｒ１ｎａ／ｆｗ＜−２．０                                …（１ｂ）
０．３０＜（Ｒ２ｎａ＋Ｒ２ｎｂ）／（Ｒ２ｎａ−Ｒ２ｎｂ）＜２．１３  …（２ｂ）
１．４＜ｆ２／ｆｗ＜１．６                                          …（３ｂ）
以上、本発明の各実施例は、ネガティブリード型の２群ズームレンズにおいて、第１レンズ群Ｌ１と第２レンズ群Ｌ２のレンズ構成を最適化している。これにより、沈胴時に薄型で、像面彎曲、コマ収差等をズーム全域で良好に補正した、高い光学特性を有するズーム比３程度のズームレンズを得ている。
【００５４】
尚、各実施例のズームレンズにおいて、更に好ましくは以下の各条件式のうち１以上を満足するのが良い。これによれば各条件式に対応する効果が得られる。
【００５５】
第１レンズ群Ｌ１を構成する負レンズの像側のレンズ面の曲率半径をＲ１ｎｂとする。第１レンズ群を構成する正レンズの物体側のレンズ面の曲率半径をＲ１ｐａとする。第２レンズ群Ｌ２を構成する最も屈折力の大きい負レンズの焦点距離をｆ２ｎとする。第１レンズ群Ｌ１の焦点距離をｆ１、第２レンズ群Ｌ２の焦点距離をｆ２とする。このとき、
０．２＜（Ｒ１ｎａ＋Ｒ１ｎｂ）／（Ｒ１ｎａ−Ｒ１ｎｂ）＜１．２      …（４）
−７．０＜（Ｒ１ｎｂ＋Ｒ１ｐａ）／（Ｒ１ｎｂ−Ｒ１ｐａ）＜−１．０  …（５）
０．３＜｜ｆ２ｎ｜／ｆ２＜１．６                                    …（６）
１．０＜｜ｆ１｜／ｆ２＜１．８                                      …（７）
１．６＜｜ｆ１｜／ｆｗ＜２．５                                      …（８）
なる条件式のうち１以上を満足するのが良い。
【００５６】
次に各条件式の技術的意味について説明する。
【００５７】
条件式（４）は、第１レンズ群Ｌ１の負レンズＧ１ｎのレンズ形状に関し、物体側のレンズ面と像側のレンズ面の屈折力の分担に関する。条件式（４）を満足することで、像面湾曲のズーム変動を良好に補正することができる。
【００５８】
条件式（４）の上限を超えると、物体側のレンズ面の屈折力分担が小さくなりすぎて、広角端において像面湾曲が補正過剰となるのでよくない。一方、下限を超えると、広角端における像面湾曲が補正不足となるので良くない。
【００５９】
条件式（５）は、第１レンズ群Ｌ１の負レンズＧ１ｎと正レンズＧ１ｐにより形成される空気レンズＧ１Ａの形状に関する。第１レンズ群Ｌ１の空気レンズＧ１Ａを、条件式（５）を満足する形状とすることで、倍率色収差のズーム変動を良好に補正している。
【００６０】
条件式（５）の上限を超えると、広角端において倍率色収差が補正過剰となる。一方、下限を超えると広角端において倍率色収差が補正不足となるのでよくない。
【００６１】
条件式（６）は、第２レンズ群Ｌ２を構成する最も屈折力の大きい負レンズＧ２ｎの焦点距離に関する。第２レンズ群Ｌ２の最も屈折力の大きい負レンズＧ２ｎを、条件式（６）を満足する焦点距離とすることで、球面収差と色収差を第２レンズ群Ｌ２内でバランスよく補正している。
【００６２】
条件式（６）の上限を超えると、負レンズＧ２ｎの焦点距離が長くなりすぎて、球面収差と軸上色収差が補正不足となる。一方、下限を超えると、負レンズＧ２ｎの焦点距離が短くなりすぎるため、球面収差と軸上色収差が補正過剰となるので良くない。
【００６３】
条件式（７）は、第１レンズ群Ｌ１と第２レンズ群Ｌ２の焦点距離の比を規定している。ズームレンズを構成する第１、第２レンズ群Ｌ１、Ｌ２の焦点距離を条件式（７）を満足するパワー配置とすることで、ズーム比３程度を有し、ズーム全域で良好な光学特性を持つ小型のズームレンズを得ている。
【００６４】
条件式（７）の上限を超えると、第１レンズ群Ｌ１の焦点距離が第２レンズ群Ｌ２の焦点距離に対して長くなりすぎ、前玉有効径が増大してレンズ全系が大型化する、若しくはズーム全域でのコマ収差の補正が困難となる。一方、下限を超えると、第１レンズ群Ｌ１の焦点距離が第２レンズ群Ｌ２の焦点距離に対して短くなりすぎ、像面彎曲のズーム全域での補正が困難となる、若しくは変倍のための第２レンズ群Ｌ２の移動量が増大して大型化するのでよくない。
【００６５】
条件式（８）は、第１レンズ群Ｌ１の焦点距離を規定しており、像面彎曲のズーム変動を補正しつつレンズ全系の小型化を達成している。
【００６６】
条件式（８）の上限を超えると、第１レンズ群Ｌ１の焦点距離が大きくなりすぎ、前玉有効径が増大しレンズ全系が大型化する。一方、下限を超えると、第１レンズ群Ｌ１の焦点距離が小さくなりすぎ、像面彎曲をズーム全域で補正するのが困難となるのでよくない。
【００６７】
各実施例において、第２レンズ群Ｌ２は、少なくとも１つの空気レンズを有する構成、即ちレンズ間隔を空けて配置される構成としている。これにより、第２レンズ群における収差補正の自由度を大きくして、ズーム全域でコマ収差を良好に補正している。
【００６８】
また、各実施例において、第２レンズ群Ｌ２の最も物体側の正レンズＧ２１は、両面を非球面形状としている。これにより、ズーム全域において球面収差とコマ収差を良好に補正している。
【００６９】
また各実施例において、第２レンズ群Ｌ２に含まれる最も屈折力の大きい負レンズＧ２ｎの像側のレンズ面は、光軸から周辺に向かうほど負の屈折力が大きくなる非球面形状でとしている。これによれば、像高の大きい軸外で発生するコマ収差をズーム全域において良好に補正することが容易となる。
また、実施例１〜５において、第２レンズ群Ｌ２を物体側から順に正レンズ、負レンズ、正レンズで構成している。変倍レンズ群である第２レンズ群Ｌ２を正、負、正レンズのトリプレットタイプとすることで、変倍レンズ群で発生するコマ収差などの非対称収差を抑えている。
【００７０】
また、実施例１〜５において、第２レンズ群Ｌ２の最も像側の正レンズＧ２３は、像側に凸面を向けたメニスカス形状で構成している。第２レンズ群Ｌ２を射出する光線を跳ね上げない構成とすることで、ズーム中間で残存するコマ収差を補正するとともに、第２レンズ群Ｌ２で防振するときに発生する偏芯コマ収差を良好に補正することができる。
【００７１】
また、実施例６〜８において、第２レンズ群Ｌ２を物体側から順に正レンズ、正レンズ、負レンズで構成している。第２レンズ群Ｌ２を正、正、負レンズのテレフォト構成とすることで、第２レンズ群Ｌ２の物体側主平面をより物体側に配置している。望遠端において第１レンズ群Ｌ１の像側主平面と、第２レンズ群Ｌ２の物体側主平面の間隔を短くすることができ、第２レンズ群の屈折力を緩めることができるため、ズーム全域において像面彎曲、コマ収差を良好に補正することができる。
【００７２】
また、実施例９〜１０において、第２レンズ群Ｌ２を物体側から順に正レンズ、負レンズ、負レンズで構成している。第２レンズ群Ｌ２をテレフォト構成とすることで、第２レンズ群Ｌ２の物体側主平面をより物体側に配置している。望遠端において第１レンズ群Ｌ１の像側主平面と、第２レンズ群Ｌ２の物体側主平面の間隔を短くすることができ、第２レンズ群の屈折力を緩めることができるため、ズーム全域において像面彎曲、コマ収差を良好に補正することができる。
【００７３】
各実施例において、より好ましくは条件式（４）〜（８）の数値範囲を以下の範囲とするのがよい。
０．２５＜（Ｒ１ｎａ＋Ｒ１ｎｂ）／（Ｒ１ｎａ−Ｒ１ｎｂ）＜１．１    …（４ａ）
−６．０＜（Ｒ１ｎｂ＋Ｒ１ｐａ）／（Ｒ１ｎｂ−Ｒ１ｐａ）＜−１．２  …（５ａ）
０．４＜｜ｆ２ｎ｜／ｆ２＜１．５                                    …（６ａ）
１．０５＜｜ｆ１｜／ｆ２＜１．７                                    …（７ａ）
１．７＜｜ｆ１｜／ｆｗ＜２．４                                      …（８ａ）
【００７４】
各実施例において、更に好ましくは条件式（４ａ）〜（８ａ）の数値範囲を以下の範囲とするのがよい。
０．３＜（Ｒ１ｎａ＋Ｒ１ｎｂ）／（Ｒ１ｎａ−Ｒ１ｎｂ）＜１．０      …（４ｂ）
−５．０＜（Ｒ１ｎｂ＋Ｒ１ｐａ）／（Ｒ１ｎｂ−Ｒ１ｐａ）＜−１．５  …（５ｂ）
０．５＜｜ｆ２ｎ｜／ｆ２＜１．４                                    …（６ｂ）
１．１＜｜ｆ１｜／ｆ２＜１．６                                      …（７ｂ）
１．７５＜｜ｆ１｜／ｆｗ＜２．３５                                  …（８ｂ）
以上のように各実施例によれば、３倍程度のズーム比を有し、沈胴時に薄型で、特に像面彎曲、コマ収差がズーム全域で良好に補正された、良好な光学特性を有するネガティブリード型の２群ズームレンズが得られる。
【００７５】
次に各実施例のレンズ構成の特徴を説明する。以下では、レンズ構成を物体側から像側へ順に説明する。
【００７６】
まず、図１を参照して、本発明の実施例１のズームレンズについて説明する。
【００７７】
図１の実施例１では、広角端から望遠端へのズーミングに際し、矢印のように第１レンズ群Ｌ１は物体側に凸状の軌跡で移動し、変倍による像面の変動を補償している。また、第２レンズ群Ｌ２は変倍レンズ群であり、物体側に単調に移動している。
【００７８】
無限遠物体から有限距離物体への合焦（フォーカス）は、第１レンズ群Ｌ１を光軸上で移動させることにより行われる。
【００７９】
第１レンズ群Ｌ１は、像側のレンズ面が非球面形状で両凹形状の負レンズＧ１ｎ、物体側のレンズ面が非球面形状でメニスカス形状の正レンズＧ１ｐの２枚のレンズで構成されている。このレンズ構成により、前玉有効径の小型化を図りつつ、像面彎曲のズーム変動を補正している。
【００８０】
第２レンズ群Ｌ２は、両レンズ面が非球面形状で両凸形状の正レンズＧ２１、像側のレンズ面が非球面形状で物体側に凸面を向けたメニスカス形状の負レンズＧ２ｎ、物体側に凹面を向けたメニスカス形状の正レンズＧ２３の３枚のレンズで構成されている。第２レンズ群を正、負、正のトリプレットタイプとすることで、変倍レンズ群で発生する非対称収差を低減し、ズーム全域において、像面彎曲、コマ収差等を良好に補正している。
【００８１】
図３を参照して、本発明の実施例２のズームレンズについて説明する。
【００８２】
図３の実施例２は、ズームタイプ、合焦方式は図１の実施例１と同じである。実施例１と比較して、各レンズ群のレンズ形状が異なる。
【００８３】
第１レンズ群Ｌ１は、像側のレンズ面が非球面形状で両凹形状の負レンズＧ１ｎ、物体側に凸面を向けたメニスカス形状の正レンズＧ１ｐの２枚のレンズで構成されている。
【００８４】
第２レンズ群Ｌ２は、両レンズ面が非球面形状でメニスカス形状の正レンズＧ２１、像側のレンズ面が非球面形状で物体側に凸面を向けたメニスカス形状の負レンズＧ２ｎ、物体側に凹面を向けたメニスカス形状の正レンズＧ２３の３枚のレンズで構成されている。
【００８５】
図５を参照して、本発明の実施例３のズームレンズについて説明する。
【００８６】
図５の実施例３は、ズームタイプ、合焦方式は図１の実施例１と同じである。実施例１と比較して、各レンズ群内のレンズ形状が異なる。
【００８７】
第１レンズ群Ｌ１は、両凹形状の負レンズＧ１ｎ、物体側のレンズ面が非球面形状で物体側に凸面を向けたメニスカス形状の正レンズＧ１ｐの２枚のレンズで構成されている。
【００８８】
第２レンズ群Ｌ２は、両レンズ面が非球面形状で両凸形状の正レンズＧ２１、像側のレンズ面が非球面形状で両凹形状の負レンズＧ２ｎ、物体側に凹面を向けたメニスカス形状の正レンズＧ２３の３枚のレンズで構成されている。
【００８９】
図７を参照して、本発明の実施例４のズームレンズについて説明する。
【００９０】
図７の実施例４は、ズームタイプ、合焦方式は図１の実施例１と同じである。実施例１と比較して、各レンズ群のレンズ形状が異なる。
【００９１】
第１レンズ群Ｌ１は、像側のレンズ面が複合非球面で両凹形状の負レンズＧ１ｎ、物体側に凸面を向けたメニスカス形状の正レンズＧ１ｐの２枚のレンズで構成されている。
【００９２】
第２レンズ群Ｌ２は、両レンズ面が非球面形状の両凸形状の正レンズＧ２１、像側のレンズ面が非球面形状で両凹形状の負レンズＧ２ｎ、物体側に凹面を向けたメニスカス形状の正レンズＧ２３の３枚のレンズで構成されている。
【００９３】
図９を参照して、本発明の実施例５のズームレンズについて説明する。
【００９４】
図９の実施例５は、ズームタイプ、基本的なレンズ構成、合焦方式は図１の実施例１と同じである。実施例１と比較して、各レンズ群のレンズ形状が異なる。
【００９５】
第１レンズ群Ｌ１は、像側のレンズ面が複合非球面で両凹形状の負レンズＧ１ｎ、物体側に凸面を向けたメニスカス形状の正レンズＧ１ｐの２枚のレンズで構成されている。
【００９６】
第２レンズ群Ｌ２は、両レンズ面が非球面形状の両凸形状の正レンズＧ２１、像側のレンズ面が非球面形状で両凹形状の負レンズＧ２ｎ、物体側に凹面を向けたメニスカス形状の正レンズＧ２３の３枚のレンズで構成されている。
【００９７】
図１１を参照して、本発明の実施例６のズームレンズについて説明する。
【００９８】
図１１の実施例６は、ズームタイプ、合焦方式は図１の実施例１と同じである。実施例１と比較して、第２レンズ群Ｌ２の構成を変更した点が異なる。
【００９９】
第１レンズ群Ｌ１は、像側のレンズ面が非球面で両凹形状の負レンズＧ１ｎ、物体側のレンズ面が非球面で両凸形状の正レンズＧ１ｐの２枚のレンズで構成されている。
【０１００】
第２レンズ群Ｌ２は、両レンズ面が非球面形状で両凸形状の正レンズＧ２１、両凸形状の正レンズＧ２２と像側のレンズ面が非球面形状で両凹形状の負レンズＧ２ｎを接合した接合レンズの合計３枚のレンズで構成されている。第２レンズ群を正、正、負のテレフォト構成とすることで、第２レンズ群Ｌ２の物体側主平面をより物体側に配置している。望遠端において第１レンズ群Ｌ１の像側主平面と第２レンズ群Ｌ２の物体側主平面の間隔を短くすることで、第２レンズ群の屈折力を緩め、ズーム全域において像面彎曲、コマ収差を良好に補正している。
【０１０１】
図１３を参照して、本発明の実施例７のズームレンズについて説明する。
【０１０２】
図１３の実施例７は、ズームタイプ、基本的なレンズ構成、合焦方式は図１１の実施例６と同じである。実施例６と比較して、各レンズ群のレンズ形状が異なる。
【０１０３】
第１レンズ群Ｌ１は、像側のレンズ面が非球面で両凹形状の負レンズＧ１ｎ、物体側のレンズ面が非球面で物体側に凸面を向けたメニスカス形状の正レンズＧ１ｐの２枚のレンズで構成されている。
【０１０４】
第２レンズ群Ｌ２は、両レンズ面が非球面形状で物体側に凸面を向けたメニスカス形状の正レンズＧ２１、両凸形状の正レンズＧ２２、像側のレンズ面が非球面形状で物体側に凸面を向けたメニスカス形状の負レンズＧ２ｎの３枚のレンズで構成されている。
【０１０５】
図１５を参照して、本発明の実施例８のズームレンズについて説明する。
【０１０６】
図１５の実施例８は、ズームタイプ、基本的なレンズ構成、合焦方式は図１１の実施例６と同じである。実施例６と比較して、各レンズ群内のレンズ形状が異なる。
【０１０７】
第１レンズ群Ｌ１は、像側のレンズ面が非球面で両凹形状の負レンズＧ１ｎ、物体側に凸面を向けたメニスカス形状の正レンズＧ１ｐの２枚のレンズで構成されている。
【０１０８】
第２レンズ群Ｌ２は、両レンズ面が非球面形状で両凸形状の正レンズＧ２１、物体側に凹面を向けたメニスカス形状の正レンズＧ２２、像側のレンズ面が非球面形状で物体側に凸面を向けたメニスカス形状の負レンズＧ２ｎの３枚のレンズで構成されている。
【０１０９】
図１７を参照して、本発明の実施例９のズームレンズについて説明する。
【０１１０】
図１７の実施例９は、ズームタイプ、合焦方式は図１の実施例１と同じである。実施例１と比較して、第２レンズ群Ｌ２の構成が異なる。
【０１１１】
第１レンズ群Ｌ１は、像側のレンズ面が非球面で両凹形状の負レンズＧ１ｎ、両凸形状の正レンズＧ１ｐの２枚のレンズで構成されている。
第２レンズ群Ｌ２は、両レンズ面が非球面形状で両凸形状の正レンズＧ２１、物体側に凹面を向けたメニスカス形状の負レンズＧ２２、像側のレンズ面が非球面形状で物体側に凸面を向けたメニスカス形状の負レンズＧ２ｎの３枚のレンズで構成されている。第２レンズ群を正、負、負のテレフォト構成とすることで、第２レンズ群Ｌ２の物体側主平面をより物体側に配置している。望遠端において第１レンズ群Ｌ１の像側主平面と、第２レンズ群Ｌ２の物体側主平面の間隔を短くすることで、第２レンズ群の屈折力を緩め、ズーム全域において像面彎曲、コマ収差を良好に補正している。
【０１１２】
図１９を参照して、本発明の実施例１０のズームレンズについて説明する。
【０１１３】
図１９の実施例１０は、ズームタイプ、基本的なレンズ構成、合焦方式は図１７の実施例９と同じである。実施例９と比較して、各レンズ群のレンズ形状が異なる。
【０１１４】
第１レンズ群Ｌ１は、像側のレンズ面が非球面で両凹形状の負レンズＧ１ｎ、両凸形状の正レンズＧ１ｐの２枚のレンズで構成されている。
【０１１５】
第２レンズ群Ｌ２は、両レンズ面が非球面形状で両凸形状の正レンズＧ２１、物体側に凹面を向けたメニスカス形状の負レンズＧ２２、像側のレンズ面が非球面形状で物体側に凸面を向けたメニスカス形状の負レンズＧ２ｎの３枚のレンズで構成されている。
【０１１６】
ここで、各実施例について、いずれかのレンズ群、または部分レンズ群を光軸に対して垂直方向に移動させることにより、手ぶれにより生じる像の移動を補償してもよい。この場合、第２レンズ群Ｌ２を防振レンズ群とするのが好ましい。
【０１１７】
また、固体撮像素子を用いる場合には、ズームレンズにおいて残存する歪曲収差を電子的に補正することができる。
【０１１８】
以上、本発明の好ましい実施形態について説明したが、本発明はこれらの実施形態に限定されず、その要旨の範囲内で種々の変形及び変更が可能である。
【０１１９】
以下、実施例１〜１０に対応する数値実施例１〜１０の具体的数値データを示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。ｆは焦点距離、ＦｎｏはＦナンバー、ωは半画角である。
【０１２０】
各数値実施例において最後の２つの面はガラスブロックＧに対応している。
【０１２１】
非球面形状は、光の進行方向を正、ｘを光軸方向の面頂点からの変位量として、ｈを光軸と垂直な方向の光軸からの高さ、Ｒを近軸曲率半径、ｋを円錐定数、Ｂ、Ｃ、Ｄ、Ｅを非球面係数とする。このとき、
ｘ＝（ｈ２／Ｒ）／［１＋｛１−（１＋ｋ）＊（ｈ／Ｒ）２｝１／２］＋Ｂ＊ｈ４＋Ｃ＊ｈ６＋Ｄ＊ｈ８＋Ｅ＊ｈ１０
なる式で表している。
【０１２２】
なお、各非球面係数における「Ｅ±ＸＸ」は「×１０±ＸＸ」を意味している。
【０１２３】
また、前述の各条件式と数値実施例との関係を（表１）に示す。
（数値実施例１）
単位 mm
面データ
面番号       r        d      nd         vd       有効径
1        -42.804    1.00   1.86400    40.6        8.87
2*         7.144    1.68                          7.77
3*        13.361    1.70   1.92110    22.4        8.01
4         55.360  (可変)                          7.74
5*         4.900    1.90   1.76802    49.2        4.60
6*       -98.800    0.13                          4.08
7         38.880    0.90   1.84666    23.8        3.98
8*         5.665    0.60                          3.62
9        -11.172    0.70   1.59201    67.0        3.62
10         -5.927  (可変)                          3.69
11          ∞       1.94   1.51633    64.1       10.00
12          ∞                                    10.00
像面        ∞   
非球面データ
第2面
K = 4.02199e-001  A 4=-1.41178e-004  A 6=-1.83832e-006  A 8=-1.15962e-007  A10=-1.27363e-008  
第3面
K =-5.26684e+000  A 4= 4.03541e-004  A 6= 1.47163e-006  A 8=-1.20687e-007  A10= 1.06321e-010  
第5面
K = 1.29692e-002  A 4= 3.15179e-004  A 6= 4.74600e-005  A 8=-1.50081e-006  A10= 2.97778e-007  
第6面
K = 0.00000e+000  A 4= 2.35966e-003  A 6=-1.91681e-005  
第8面
K =-6.71535e-001  A 4= 5.34148e-004  A 6= 1.62007e-004  A 8=-1.11914e-006  A10= 1.92201e-006  
各種データ
変倍比      2.85 
焦点距離       6.45    12.42    18.38
Fナンバー      3.29     4.44     5.60
画角          31.03    17.35    11.92
像高           3.88     3.88     3.88
レンズ全長    33.29    28.52    29.77
BF             1.00     1.00     1.00
d 4           12.73     3.45     0.20
d10            9.00    13.51    18.01
入射瞳位置     6.68     4.10     2.52
射出瞳位置   -13.15   -17.66   -22.16
前側主点位置  10.19     8.25     6.32
後側主点位置  -5.45   -11.42   -17.38
ズームレンズ群データ
群  始面    焦点距離  レンズ構成長  前側主点位置  後側主点位置
1    1     -12.84         4.38        -0.56         -3.85
2    5       9.70         4.23        -0.43         -3.28
3   11       ∞           1.94         0.64         -0.64
単レンズデータ
レンズ  始面  焦点距離
1       1     -7.02
2       3     18.76
3       5      6.13
4       7     -7.93
5       9     20.31
【０１２４】
（数値実施例２）
単位 mm
面データ
面番号       r        d      nd         vd       有効径
1        -20.865    1.00   1.86400    40.6        9.80
2*         6.214    0.77                          8.81
3          9.870    1.80   2.09500    29.4        9.04
4        102.601  (可変)                          8.87
5*         4.816    1.80   1.76802    49.2        4.38
6*        51.668    0.10                          3.87
7         21.589    0.90   1.92110    22.4        3.81
8*         6.046    0.58                          3.43
9        -11.187    0.70   1.48749    70.2        3.40
10         -5.228  (可変)                          3.42
11          ∞       1.94   1.51633    64.1       10.00
12          ∞                                    10.00
像面        ∞   
非球面データ
第2面
K =-2.25651e-001  A 4=-3.28056e-004  A 6=-3.13875e-006  A 8=-1.53632e-007  A10= 2.30730e-010  
第5面
K = 5.94488e-002  A 4= 3.67334e-004  A 6= 5.51211e-005  A 8=-9.35134e-007  A10=-8.30900e-008  
第6面
K = 3.23201e+002  A 4= 2.22867e-003  A 6=-2.41249e-005  A 8=-3.15833e-006  A10=-8.97026e-007  
第8面
K = 6.17973e-001  A 4=-1.69513e-004  A 6= 1.26739e-004  A 8= 1.68379e-005  A10=-1.48098e-006  
各種データ
変倍比      2.82 
焦点距離       6.45    12.32    18.20
Fナンバー      3.29     4.41     5.54
画角          31.00    17.45    12.02
像高           3.88     3.88     3.88
レンズ全長    33.71    26.90    26.98
BF             0.61     0.61     0.61
d 4           14.55     3.88     0.10
d10            8.95    12.81    16.67
入射瞳位置     7.27     3.96     1.85
射出瞳位置   -13.02   -16.88   -20.74
前側主点位置  10.67     7.60     4.54
後側主点位置  -5.84   -11.71   -17.59
ズームレンズ群データ
群  始面    焦点距離  レンズ構成長  前側主点位置  後側主点位置
1    1     -14.83         3.57        -0.79         -3.11
2    5       9.74         4.08        -0.36         -3.13
3   11       ∞           1.94         0.64         -0.64
単レンズデータ
レンズ  始面  焦点距離
1       1     -5.45
2       3      9.87
3       5      6.80
4       7     -9.38
5       9     19.39
【０１２５】
（数値実施例３）
単位 mm
面データ
面番号       r        d      nd         vd       有効径
1        -98.995    0.70   1.90366    31.3        9.06
2          7.020    1.51                          7.95
3*        10.930    1.40   2.14352    17.8        8.12
4         22.217  (可変)                          7.77
5*         4.891    1.80   1.80610    40.4        4.37
6*       -10.415    0.06                          3.94
7        -16.162    1.00   1.83917    23.9        3.84
8*         5.970    0.75                          3.35
9         -6.129    0.70   1.48749    70.2        3.34
10         -4.268  (可変)                          3.44
11          ∞       1.94   1.51633    64.1       10.00
12          ∞                                    10.00
像面        ∞   
非球面データ
第3面
K =-1.69839e+000  A 4= 2.32329e-004  A 6= 7.87516e-007  A 8= 5.28903e-008  A10=-3.49647e-010  
第5面
K =-1.64111e-002  A 4= 2.67855e-004  A 6= 5.67990e-005  A 8=-1.13576e-006  A10= 5.81917e-007  
第6面
K = 0.00000e+000  A 4= 2.23721e-003  
第8面
K =-1.66762e-001  A 4= 1.14342e-003  A 6= 1.63248e-004  A 8=-1.56668e-005  A10= 5.16928e-006  
各種データ
変倍比      2.85 
焦点距離       6.45    12.42    18.38
Fナンバー      3.29     4.43     5.60
画角          31.03    17.35    11.92
像高           3.88     3.88     3.88
レンズ全長    32.02    26.75    27.61
BF             1.00     1.00     1.00
d 4           12.93     3.51     0.20
d10            8.23    12.39    16.54
d12            1.00     1.00     1.00
入射瞳位置     6.91     3.99     2.18
射出瞳位置   -12.53   -16.69   -20.85
前側主点位置  10.29     7.69     5.10
後側主点位置  -5.45   -11.42   -17.38
ズームレンズ群データ
群  始面    焦点距離  レンズ構成長  前側主点位置  後側主点位置
1    1     -13.47         3.61        -0.38         -2.96
2    5       9.39         4.31        -0.36         -3.38
3   11       ∞           1.94         0.64         -0.64
単レンズデータ
レンズ  始面  焦点距離
1       1     -7.23
2       3     17.65
3       5      4.36
4       7     -5.09
5       9     25.68
【０１２６】
（数値実施例４）
単位 mm
面データ
面番号       r        d      nd         vd       有効径
1        -75.457    0.60   1.91900    35.8        9.01
2          7.149    0.10   1.52421    51.4        8.00
3*         6.602    1.35                          7.97
4         10.028    1.30   2.01960    21.5        8.13
5         25.787  (可変)                          7.87
6*         4.812    1.90   1.80139    45.5        4.39
7*       -18.302    0.06                          3.89
8       -189.394    0.90   1.84666    23.8        3.78
9*         5.368    0.89                          3.31
10         -6.906    0.70   1.59201    67.0        3.30
11         -4.982  (可変)                          3.39
12          ∞       1.94   1.51633    64.1       10.00
13          ∞                                    10.00
像面        ∞   
非球面データ
第3面
K =-6.51078e-001  A 4= 5.99883e-006  A 6= 9.87589e-007  A 8=-9.60329e-008  A10= 1.02367e-009  
第6面
K =-8.52860e-003  A 4= 1.93556e-004  A 6= 4.40058e-005  A 8= 5.23607e-008  A10= 2.92166e-007  
第7面
K = 0.00000e+000  A 4= 2.05060e-003  
第9面
K =-6.22161e-001  A 4= 1.38996e-003  A 6= 1.75786e-004  A 8=-7.84165e-006  A10= 4.46180e-006  
各種データ
ズーム比      2.85 
広角     中間     望遠
焦点距離       6.45    12.42    18.38  
Fナンバー      3.29     4.44     5.60  
画角          31.00    17.33    11.90  
像高           3.88     3.88     3.88  
レンズ全長    32.01    26.53    27.29  
BF             0.50     0.50     0.50  
d 5           13.19     3.57     0.20  
d11            8.58    12.71    16.84  
入射瞳位置     6.84     3.89     2.05  
射出瞳位置   -13.01   -17.14   -21.27  
前側主点位置  10.21     7.56     4.92  
後側主点位置  -5.95   -11.92   -17.88  
ズームレンズ群データ
群  始面    焦点距離  レンズ構成長  前側主点位置  後側主点位置
1    1     -13.65         3.35        -0.57         -3.05
2    6       9.45         4.46        -0.43         -3.56
3   12       ∞           1.94         0.64         -0.64
単レンズデータ
レンズ  始面  焦点距離
1       1     -7.08
2       2   -175.92
3       4     15.45
4       6      4.93
5       8     -6.15
6      10     26.61
【０１２７】
（数値実施例５）
単位 mm
面データ
面番号       r        d      nd         vd       有効径
1        -37.703    0.60   1.91900    35.8        9.13
2          7.285    0.17   1.52421    51.4        8.17
3*         7.285    1.35                          8.16
4         11.616    1.30   2.01960    21.5        8.39
5         40.523  (可変)                          8.19
6*         4.821    1.90   1.80139    45.5        4.21
7*       -19.121    0.11                          3.80
8       -177.727    0.90   1.84666    23.8        3.68
9*         5.422    0.77                          3.29
10         -7.222    0.70   1.59201    67.0        3.31
11         -5.131  (可変)                          3.58
12          ∞       1.94   1.51633    64.1       10.00
13          ∞                                    10.00
像面        ∞   
非球面データ
第3面
K =-2.99139e-001  A 4=-2.09906e-004  A 6=-1.14452e-006  A 8=-4.24186e-008  A10=-1.01305e-009  
第6面
K =-3.54293e-002  A 4= 2.52651e-004  A 6= 3.28482e-005  A 8= 3.35529e-006  A10=-1.99174e-009  
第7面
K = 0.00000e+000  A 4= 2.05945e-003  
第9面
K =-6.63664e-001  A 4= 1.38879e-003  A 6= 1.27948e-004  A 8= 1.06421e-005  A10= 1.79907e-006  
各種データ
変倍比      2.85 
広角     中間     望遠
焦点距離       6.45    12.42    18.38  
Fナンバー      3.47     4.61     5.76  
画角          31.03    17.35    11.92  
像高           3.88     3.88     3.88  
レンズ全長    31.61    26.72    27.79  
BF             0.74     0.74     0.74  
d 5           12.65     3.48     0.26  
d11            8.47    12.75    17.04  
入射瞳位置     6.49     3.76     2.09  
射出瞳位置   -12.77   -17.05   -21.34  
前側主点位置   9.86     7.52     5.17  
後側主点位置  -5.71   -11.67   -17.64  
ズームレンズ群データ
群  始面    焦点距離  レンズ構成長  前側主点位置  後側主点位置
1    1     -13.10         3.42        -0.70         -3.28
2    6       9.40         4.38        -0.55         -3.54
3   12       ∞           1.94         0.64         -0.64
単レンズデータ
レンズ  始面  焦点距離
1       1     -6.60
2       2    1726.21
3       4     15.62
4       6      4.98
5       8     -6.20
6      10     26.62
【０１２８】
（数値実施例６）
単位 mm
面データ
面番号       r        d      nd         vd       有効径
1        -40.420    1.00   1.86400    40.6        8.99
2*         5.205    1.60                          7.42
3*        17.424    1.50   1.90200    25.1        7.70
4        -52.689  (可変)                          7.61
5*         3.740    1.80   1.59201    67.0        4.00
6*       -29.796    0.10                          3.69
7         16.107    1.05   1.74400    44.8        3.53
8        -36.974    0.50   1.75520    27.5        3.15
9*         5.292  (可変)                          2.83
10          ∞       1.00   1.51633    64.1       10.00
11          ∞                                    10.00
像面        ∞   
非球面データ
第2面
K =-7.50354e-001  A 4= 6.80714e-004  A 6= 1.26025e-004  A 8=-1.22116e-005  A10= 2.98472e-007  
第3面
K = 0.00000e+000  A 4= 5.92022e-004  A 6= 3.81647e-005  A 8=-3.43511e-006  A10= 7.51687e-008  
第5面
K = 0.00000e+000  A 4=-1.22588e-003  A 6=-1.85994e-005  A 8=-2.79059e-005  A10= 8.39605e-007  
第6面
K = 0.00000e+000  A 4=-1.98740e-003  A 6= 2.02827e-005  
第9面
K = 0.00000e+000  A 4= 6.66263e-003  A 6= 6.30092e-004  
各種データ
ズーム比      2.83 
広角     中間     望遠
焦点距離       5.15     9.87    14.59  
Fナンバー      3.33     4.54     5.76  
画角          36.99    21.45    14.89  
像高           3.88     3.88     3.88  
レンズ全長    28.38    24.35    25.33  
BF             0.99     0.99     0.99  
d 4           11.46     3.73     1.00  
d 9            7.38    11.09    14.80  
入射瞳位置     5.38     3.65     2.63  
射出瞳位置    -9.73   -13.43   -17.14  
前側主点位置   8.06     6.77     5.48  
後側主点位置  -4.16    -8.89   -13.61  
ズームレンズ群データ
群  始面    焦点距離  レンズ構成長  前側主点位置  後側主点位置
1    1     -10.30         4.10        -0.83         -4.22
2    5       8.09         3.45        -1.72         -3.11
3   10       ∞           1.00         0.33         -0.33
単レンズデータ
レンズ  始面  焦点距離
1       1     -5.28
2       3     14.67
3       5      5.73
4       7     15.21
5       8     -6.10
【０１２９】
（数値実施例７）
単位 mm
面データ
面番号       r        d      nd         vd       有効径
1       -123.120    1.00   1.86400    40.6        8.94
2*         4.844    1.60                          7.22
3*        10.481    1.50   2.01960    21.5        7.45
4         28.360  (可変)                          7.15
5*         4.770    1.20   1.55332    71.7        4.03
6*         8.968    0.10                          4.07
7          7.476    1.20   1.59201    67.0        4.04
8         -6.990    0.10                          3.87
9         43.381    0.50   1.75520    27.5        3.52
10*         6.181  (可変)                          3.17
11          ∞       1.00   1.51633    64.1       10.00
12          ∞                                    10.00
像面        ∞   
非球面データ
第2面
K =-2.53301e-001  A 4= 9.92721e-005  A 6= 5.19371e-005  A 8=-5.81921e-006  A10= 1.07282e-007  
第3面
K = 0.00000e+000  A 4= 3.41177e-004  A 6= 1.35873e-005  A 8=-1.29493e-006  A10= 2.37390e-008  
第5面
K = 0.00000e+000  A 4=-5.67773e-003  A 6=-5.52175e-004  A 8=-2.99405e-005  A10=-6.66912e-006  
第6面
K = 0.00000e+000  A 4=-7.61783e-003  A 6=-5.14016e-004  
第10面
K = 0.00000e+000  A 4= 5.43558e-003  A 6= 4.75192e-004  
各種データ
ズーム比      2.84 
広角     中間     望遠
焦点距離       5.15     9.88    14.61  
Fナンバー      3.20     4.47     5.76  
画角          36.99    21.44    14.87  
像高           3.88     3.88     3.88  
レンズ全長    28.14    25.32    26.97  
BF             1.00     1.00     1.00  
d 4           10.34     3.44     1.00  
d10            8.60    12.68    16.77  
入射瞳位置     5.31     3.67     2.69  
射出瞳位置   -11.10   -15.19   -19.27  
前側主点位置   8.27     7.52     6.77  
後側主点位置  -4.15    -8.88   -13.61  
ズームレンズ群データ
群  始面    焦点距離  レンズ構成長  前側主点位置  後側主点位置
1    1      -9.28         4.10        -0.20         -3.21
2    5       8.01         3.10        -0.38         -2.21
3   11       ∞           1.00         0.33         -0.33
単レンズデータ
レンズ  始面  焦点距離
1       1     -5.38
2       3     15.64
3       5     16.71
4       7      6.30
5       9     -9.60
【０１３０】
（数値実施例８）
単位 mm
面データ
面番号       r        d      nd         vd       有効径
1        -25.066    1.00   1.86400    40.6        8.92
2*         7.264    1.73                          7.96
3         13.362    1.50   1.84666    23.8        8.26
4        246.836  (可変)                          8.11
5*         5.017    2.00   1.59201    67.0        4.90
6*        -9.559    0.23                          4.67
7         -5.388    1.05   1.66672    48.3        4.66
8         -5.677    0.10                          4.66
9         87.144    0.50   1.75520    27.5        4.22
10*         7.543  (可変)                          3.91
11          ∞       1.00   1.51633    64.1       10.00
12          ∞                                    10.00
像面        ∞   
非球面データ
第2面
K =-3.30479e-001  A 4=-2.45765e-004  A 6= 8.37793e-006  A 8=-6.65542e-007  A10= 1.51995e-008  
第5面
K = 0.00000e+000  A 4=-5.61440e-004  A 6=-1.79268e-005  A 8=-4.34827e-006  A10= 8.95422e-008  
第6面
K = 0.00000e+000  A 4=-7.67840e-004  A 6= 7.64241e-006  
第10面
K = 0.00000e+000  A 4= 2.40221e-003  A 6= 8.80635e-005  A 8= 3.31171e-006  A10= 1.42656e-008  
各種データ
変倍比      2.84 
広角     中間     望遠
焦点距離       6.68    12.81    18.94  
Fナンバー      3.39     4.57     5.76  
画角          30.11    16.83    11.56  
像高           3.88     3.88     3.88  
レンズ全長    34.98    30.53    32.19  
BF             0.98     0.98     0.98  
d 4           13.78     4.33     1.00  
d10           11.11    16.10    21.10  
入射瞳位置     6.52     4.22     2.84  
射出瞳位置   -14.07   -19.07   -24.06  
前側主点位置  10.23     8.84     7.45  
後側主点位置  -5.70   -11.83   -17.96  
ズームレンズ群データ
群  始面    焦点距離  レンズ構成長  前側主点位置  後側主点位置
1    1     -12.72         4.23        -0.97         -4.43
2    5      10.37         3.88        -0.82         -3.07
3   11       ∞           1.00         0.33         -0.33
単レンズデータ
レンズ  始面  焦点距離
1       1     -6.43
2       3     16.64
3       5      5.86
4       7    350.80
5       9    -10.96
【０１３１】
（数値実施例９）
単位 mm
面データ
面番号       r        d      nd         vd       有効径
1        -18.465    1.00   1.85135    40.1        9.87
2*         8.690    1.80                          9.01
3         17.014    1.50   1.84666    23.8        9.39
4       -130.205  (可変)                          9.31
5*         5.388    2.00   1.59201    67.0        5.00
6*        -9.087    0.30                          5.00
7         -4.695    0.80   1.51633    64.1        4.80
8         -5.288    0.10                          4.60
9         17.629    0.50   1.80486    24.7        4.04
10*         6.292  (可変)                          3.74
11          ∞       1.00   1.51633    64.1       10.00
12          ∞                                    10.00
像面        ∞   
非球面データ
第2面
K = 3.71092e-001  A 4=-3.62957e-004  A 6= 7.04205e-006  A 8=-5.85284e-007  A10= 1.10575e-008  
第5面
K = 0.00000e+000  A 4=-9.28525e-004  A 6=-2.57481e-005  A 8=-1.41762e-005  A10= 5.24145e-007  
第6面
K = 0.00000e+000  A 4=-1.26401e-003  A 6=-8.51305e-005  
第10面
K = 0.00000e+000  A 4= 1.87968e-003  A 6= 1.27564e-004  A 8=-2.86218e-006  A10=-4.50820e-007  
各種データ
変倍比      2.84 
広角     中間     望遠
焦点距離       6.68    12.82    18.95  
Fナンバー      3.31     4.53     5.76  
画角          30.12    16.82    11.56  
像高           3.88     3.88     3.88  
レンズ全長    34.69    29.28    30.40  
BF             0.98     0.98     0.98  
d 4           13.96     3.86     0.30  
d10           10.76    15.44    20.12  
入射瞳位置     6.68     4.09     2.52  
射出瞳位置   -13.63   -18.31   -22.99  
前側主点位置  10.30     8.39     6.48  
後側主点位置  -5.70   -11.84   -17.97  
ズームレンズ群データ
群  始面    焦点距離  レンズ構成長  前側主点位置  後側主点位置
1    1     -13.59         4.30        -1.21         -4.83
2    5      10.37         3.70        -0.93         -3.06
3   11       ∞           1.00         0.33         -0.33
単レンズデータ
レンズ  始面  焦点距離
1       1     -6.83
2       3     17.86
3       5      6.02
4       7   -150.00
5       9    -12.40
【０１３２】
（数値実施例１０）
単位 mm
面データ
面番号       r        d      nd         vd       有効径
1        -19.556    1.00   1.86400    40.6        8.95
2*         8.264    1.76                          8.12
3         15.902    1.50   1.84666    23.8        8.41
4       -180.043  (可変)                          8.28
5*         5.605    2.00   1.55332    71.7        4.69
6*        -8.013    0.38                          4.60
7         -3.938    0.80   1.48749    70.2        4.55
8         -4.360    0.10                          4.61
9         23.118    0.50   1.80486    24.7        4.13
10*         7.603  (可変)                          3.86
11          ∞       1.00   1.51633    64.1       10.00
12          ∞                                    10.00
像面        ∞   
非球面データ
第2面
K =-1.28936e+000  A 4=-2.75567e-005  A 6= 1.10586e-005  A 8=-7.89985e-007  A10= 1.97858e-008  
第5面
K = 0.00000e+000  A 4=-1.21065e-003  A 6=-2.98919e-005  A 8=-2.48140e-005  A10= 1.37032e-006  
第6面
K = 0.00000e+000  A 4=-1.94032e-003  A 6=-1.16006e-004  
第10面
K = 0.00000e+000  A 4= 2.05376e-003  A 6= 9.54232e-005  A 8=-2.57044e-008  A10=-8.48801e-007  
各種データ
変倍比      2.84 
広角     中間     望遠
焦点距離       6.68    12.81    18.94  
Fナンバー      3.45     4.60     5.76  
画角          30.12    16.83    11.56  
像高           3.88     3.88     3.88  
レンズ全長    34.61    29.70    31.11  
BF             0.98     0.98     0.98  
d 4           13.50     3.74     0.30  
d10           11.10    15.94    20.79  
入射瞳位置     6.49     4.00     2.48  
射出瞳位置   -14.17   -19.02   -23.86  
前側主点位置  10.23     8.60     6.98  
後側主点位置  -5.70   -11.83   -17.96  
ズームレンズ群データ
群  始面    焦点距離  レンズ構成長  前側主点位置  後側主点位置
1    1     -13.13         4.26        -1.13         -4.68
2    5      10.38         3.78        -0.54         -2.92
3   11       ∞           1.00         0.33         -0.33
単レンズデータ
レンズ  始面  焦点距離
1       1     -6.61
2       3     17.32
3       5      6.29
4       7   -220.00
5       9    -14.28
【０１３３】
【表１】
2010286819.tif 000003
【０１３４】
次に、各実施例に示したようなズームレンズを撮影光学系として用いた、デジタルカメラ（撮像装置）の実施形態を図２１を用いて説明する。
【０１３５】
図２１において、２０はカメラ本体、２１は本発明のズームレンズによって構成された撮像光学系である。２２は撮像光学系２１によって形成された被写体像を受光するＣＣＤなどの撮像素子である。２３は撮像素子２２が受光した被写体像を記録する記録手段、２４は不図示の表示素子に表示された被写体像を観察するためのファインダーである。
【０１３６】
上記表示素子は液晶パネルなどによって構成され、撮像素子２２上に形成された被写体像が表示される。
【０１３７】
このように本発明のズームレンズをデジタルカメラに適用することにより、高い光学性能を有する撮像装置を実現している。
【符号の説明】
【０１３８】
Ｌ１  第１レンズ群
Ｌ２  第２レンズ群
ＩＰ  像面
Ｇ  ガラスブロック
ｄ  ｄ線
ｇ  ｇ線
ΔＳ  サジタル像面
ΔＭ  メリディオナル像面
【図１】
2010286819.tif 000004
【図２】
2010286819.tif 000005
【図３】
2010286819.tif 000006
【図４】
2010286819.tif 000007
【図５】
2010286819.tif 000008
【図６】
2010286819.tif 000009
【図７】
2010286819.tif 000010
【図８】
2010286819.tif 000011
【図９】
2010286819.tif 000012
【図１０】
2010286819.tif 000013
【図１１】
2010286819.tif 000014
【図１２】
2010286819.tif 000015
【図１３】
2010286819.tif 000016
【図１４】
2010286819.tif 000017
【図１５】
2010286819.tif 000018
【図１６】
2010286819.tif 000019
【図１７】
2010286819.tif 000020
【図１８】
2010286819.tif 000021
【図１９】
2010286819.tif 000022
【図２０】
2010286819.tif 000023
【図２１】
2010286819.tif 000024
【手続補正書】
【提出日】平成22年4月28日(2010.4.28)
【手続補正１】
【補正対象書類名】図面
【補正対象項目名】図２
【補正方法】変更
【補正の内容】
【図２】
2010286819.tif 000025
【手続補正２】
【補正対象書類名】図面
【補正対象項目名】図６
【補正方法】変更
【補正の内容】
【図６】
2010286819.tif 000026